【誤訳訂正書】
【提出日】平成24年2月10日(2012.2.10)
【誤訳訂正１】
【訂正対象書類名】明細書
【訂正対象項目名】特許請求の範囲
【訂正方法】変更
【訂正の内容】
【特許請求の範囲】
【請求項１】  金属塩ナノ粒子を合成するための方法であって、前記金属塩ナノ粒子は、アニオンとして、リン酸塩、ハロリン酸塩、ヒ酸塩、硫酸塩、ホウ酸塩、アルミン酸塩、没食子酸塩、ケイ酸塩、ゲルマニウム酸塩、酸化物、バナジン酸塩、ニオブ酸塩、タンタル酸塩、タングステン酸塩、モリブデン酸塩、アルカリ金属ハロゲン化物、他のハロゲン化物、窒化物、硫化物、セレン化物、スルホセレン化物、またはオキシ硫化物を含み、前記方法は、以下の工程：
ａ）少なくとも、
ａａ）有機溶媒として、有機リン化合物およびアミンから選択されるナノ粒子の結晶成長を制御する成分、ならびにさらなる成分として、エーテル化合物または最小合成温度を超える温度で沸騰するアルカン化合物、
ｂｂ）合成混合物に可溶性かまたは少なくとも分散され得、金属塩化物、金属臭化物、金属ヨウ化物、金属アルコキシド、金属酢酸塩、および金属アセチルアセトネートから選択されるカチオン供給源、ならびに
ｃｃ）合成混合物に可溶性かまたは少なくとも分散され得：
ａａａ）調製しようとする特定の金属塩ナノ粒子の塩の遊離酸、または
ｂｂｂ）合成混合物に可溶性かもしくは少なくとも分散され得る塩、または、
ｃｃｃ）最小合成温度より高い温度からアニオンを遊離する有機化合物
から選択される、該アニオンの供給源、
を含む合成混合物を生成する工程、ならびに
ｂ）予め決定された最小合成温度より高い温度で、合成混合物を保持し、ナノ粒子を形成する工程、
を含む、方法。
【請求項２】  アミン化合物が、モノアルキルアミンおよびジアルキルアミンから選択される、請求項１記載の方法。
【請求項３】  モノアルキルアミンがドデシルアミンである、請求項２記載の方法。
【請求項４】  ジアルキルアミンがビス−（エチルヘキシル）−アミンである、請求項２または３記載の方法。
【請求項５】  有機リン化合物が、以下：
ａ）式（Ｒ１−）（Ｒ２−）（Ｒ３−Ｏ−）Ｐ＝Ｏのホスフィン酸エステル、
ｂ）式（Ｒ１−）（Ｒ２−Ｏ−）（Ｒ３−Ｏ−）Ｐ＝Ｏのホスホン酸ジエステル、
ｃ）式（Ｒ１−Ｏ−）（Ｒ２−Ｏ−）（Ｒ３−Ｏ−）Ｐ＝Ｏのリン酸トリエステル（リン酸トリアルキル）、
ｄ）式（Ｒ１−）（Ｒ２−）（Ｒ３−）Ｐのトリアルキルホスファン、
ｅ）式（Ｒ１−）（Ｒ２−）（Ｒ３−）Ｐ＝Ｏのトリアルキルホスファンオキシド、
ここで、Ｒ１、Ｒ２、Ｒ３は、少なくとも１つの炭素原子、もしくはフェニル、トロイル、キシロリル、またはベンジル基を有する分岐したまたは分岐していないアルカン鎖であり、あるいは
ｆ）ホスホルアミド、あるいは
ｇ）ホスホルアミドオキシド
の少なくとも１つである、請求項１に記載の方法。
【請求項６】  トリアルキルホスファンがトリオクチルホスファン（ＴＯＰ）である、請求項５記載の方法。
【請求項７】  トリアルキルホスファンオキシドがトリオクチルホスファンオキシド（ＴＯＰＯ）である、請求項５または６記載の方法。
【請求項８】  ホスホルアミドが、トリス−（ジメチルアミノ）−ホスファンである、請求項５〜７いずれか記載の方法。
【請求項９】  ホスホルアミドオキシドが、トリス−（ジメチルアミノ）−ホスファンオキシドである、請求項５〜８いずれか記載の方法。
【請求項１０】  Ｒ１、Ｒ２、またはＲ３は、
カルボキシル基（−ＣＯＯＨ）、カルボン酸エステル基（−ＣＯＯＲ）、アミノ基（−ＮＨ２）および（−ＮＨＲ）、水酸基（−ＯＨ）、シアノ基（−ＣＮ）、メルカプト基（−ＳＨ）、臭素（−Ｂｒ）ならびに塩素（−Ｃｌ）、またはこれらの基の組み合わせ
の少なくとも１つを保持する分岐したまたは分岐していないアルカン鎖である、請求項５〜９いずれか記載の方法。
【請求項１１】  有機リン化合物が、リン酸トリアルキルまたはトリアルキルホスファンであり、各々、金属イオン１ｍｏｌあたり１０ｍｏｌ未満の量で使用される、請求項５〜９いずれか記載の方法。
【請求項１２】  該量が０．９〜５ｍｏｌである請求項１１記載の方法。
【請求項１３】  エーテル化合物が、ジペンチルエーテル、ジヘキシルエーテル、ジヘプチルエーテル、ジオクチルエーテル、ジベンジルエーテル、ジイソアミルエーテル、エチレングリコールジブチルエーテル、ジエチレングリコールジブチルエーテル、およびジフェニルエーテルから選択される、請求項１記載の方法。
【請求項１４】  アルカン化合物が、ドデカンまたはヘキサデカンである、請求項１記載の方法。
【請求項１５】  合成混合物に可溶性の塩基を使用して該合成混合物を中和する工程をさらに含む、請求項１〜１４いずれか記載の方法。
【請求項１６】  塩基が、トリヘキシルアミン、トリヘプチルアミン、トリオクチルアミン、またはトリス（２−エチルヘキシル）アミンである、請求項１５記載の方法。
【請求項１７】  アニオン供給源が、有機カチオンを有する塩またはアルカリ金属塩である、請求項１記載の方法。
【請求項１８】  アニオン供給源が、リン酸、ホウ酸またはフッ化水素酸から選択される、請求項１記載の方法。
【請求項１９】  アニオン供給源が、ｂｂｂ）に記載の塩であって、溶けにくい塩であり、金属錯体形成体が、アニオン供給源としての金属塩の溶解性を向上するために添加される、請求項１記載の方法。
【請求項２０】  金属錯体形成体が、アルカリ金属塩のためのクラウンエーテルである、請求項１９記載の方法。
【請求項２１】  請求項１〜２０いずれか記載の方法によって得られ得るナノ粒子。
【請求項２２】  発光体である請求項２１記載のナノ粒子。
【請求項２３】  発光体が蛍光発光可能な発光体である請求項２２記載のナノ粒子。
【請求項２４】  いくつかのカチオンを含み、その金属の少なくとも１つがナノ粒子に対してドーピングされている、請求項２１〜２３いずれか記載のナノ粒子。
【請求項２５】  １ａ、２ａ主族、またはＡｌ、Ｃｒ、Ｔｌ、Ｍｎ、Ａｇ、Ｃｕ、Ａｓ、Ｎｂ、Ｎｉ、Ｔｉ、Ｉｎ、Ｓｂ、Ｇａ、Ｓｉ、Ｐｂ、Ｂｉ、Ｚｎ、Ｃｏの元素および／またはランタニドの元素を含む１つ以上のある量の元素がドーピング剤として使用される、請求項２１〜２４いずれか記載のナノ粒子。
【請求項２６】  前記ホスト格子が、ランタン化合物またはランタニド化合物を含み、ランタニドを含む群からのドーピング剤が存在する、請求項２５記載のナノ粒子。
【請求項２７】  ランタン化合物がＬａＰＯ４である、請求項２６記載のナノ粒子。
【請求項２８】  ２種の元素が、ドーピング剤として互いに異なる相対的な濃度で使用され、ここで、一方のドーピング元素は、光に対して吸収スペクトルの極大を有し、他方のドーピング元素は、少なくとも４％である第１のドーピング元素の吸収極大からの距離Δλ／λを有する少なくとも１つの極大を有する蛍光発光スペクトルを有する、請求項２５または２６記載のナノ粒子。
【請求項２９】  該２種の元素が、セリウムおよびテルビウムである、請求項２８記載のナノ粒子。
【請求項３０】  該光がＵＶ光である、請求項２８または２９記載のナノ粒子。
【請求項３１】  該距離Δλ／λが２０％を超える、請求項２８〜３０いずれか記載のナノ粒子。
【請求項３２】  セリウムおよびテルビウムがドーピング剤として使用され、ＬａＰＯ４がホスト物質として使用される、請求項２８〜３１いずれか記載のナノ粒子。
【請求項３３】  以下の化合物：
2004508215.tif 000001
から選択される、請求項２１〜２４いずれか記載のナノ粒子。
【請求項３４】  以下の化合物：
2004508215.tif 000002
から選択される、請求項２１〜２４いずれか記載のナノ粒子。
【請求項３５】  以下の化合物：ＭｇＦ２：Ｍｎ；ＣａＳｉＯ３：Ａ；ＣａＳ：Ａ；ＣａＯ：Ａ；ＺｎＳ：Ａ；Ｙ２Ｏ３：Ａ、またはＭｇＦ２：Ａ（Ａ＝ランタニド）から選択される、請求項２１〜２４いずれか記載のナノ粒子。
【請求項３６】  ナノ粒子が、３０％未満の標準偏差で１〜８ｎｍのサイズを有する、請求項２４〜３５いずれか記載のナノ粒子。
【請求項３７】  該サイズが４〜５ｎｍである、請求項３６記載のナノ粒子。
【請求項３８】  該標準偏差が１０％未満である、請求項３６または３７記載のナノ粒子。
【請求項３９】  ナノ粒子が、希土類金属のリン酸塩、第三主族のリン酸塩、またはカルシウム（Ｃａ）、ストロンチウム（Ｓｒ）、もしくはバリウム（Ｂａ）のリン酸塩から選択され、
ここで、前記ナノ粒子は、３０％未満の標準偏差で、最長軸に沿って最大１５ｎｍの伸長を有する、
請求項２４記載のナノ粒子。
【請求項４０】  該標準偏差が１０％未満である、請求項３９記載のナノ粒子。
【請求項４１】  該ナノ粒子が最大１０ｎｍの伸長を有する、請求項３９または４０記載のナノ粒子。
【請求項４２】  請求項２４〜４１いずれか記載のナノ粒子を含む液体、エアロゾルまたは気体。
【請求項４３】  キャリアワニスまたはキャリア塗料である、請求項４２に記載の液体。
【請求項４４】  請求項２４〜４１いずれか記載のナノ粒子を含むポリマー。
【請求項４５】  フィルムの形態で存在する、請求項４４記載のポリマー。
【請求項４６】  ポリエチレンまたはポリプロピレンから作製され、その中に該ナノ粒子が包埋される、請求項４５記載のポリマー。
【請求項４７】  物体、液体または気体を標識するための、蛍光体のファミリーからの１つまたは数個の物質を含む、請求項２２〜３４いずれか記載のナノ粒子の使用。
【請求項４８】  デバイスまたは発光体において光を生成するための、蛍光体のファミリーからの１つまたは数個の物質を含む、請求項２２〜３４いずれか記載のナノ粒子の使用。
【請求項４９】  該蛍光体が、タングステン酸塩、タンタル酸塩、ホウ酸塩、バナジン酸塩、スルホキシド、ケイ酸塩、没食子酸塩、アルミン酸塩、またはハロゲン化化合物である、請求項４７または４８記載の使用。
【誤訳訂正２】
【訂正対象書類名】明細書
【訂正対象項目名】０２３５
【訂正方法】変更
【訂正の内容】
【０２３５】
調製方法の上記の工程から得られる物質は、所望であれば上記のように乾燥し、粉末化して、平均粒子サイズが約３０ｎｍまでである、塵埃様粉末にすることができる。
【誤訳訂正３】
【訂正対象書類名】明細書
【訂正対象項目名】０２５９
【訂正方法】変更
【訂正の内容】
【０２５９】
蛍光体、特に、ウォルフラム酸塩、タンタル酸塩、没食子酸塩、アルミン酸塩、ホウ酸塩、バナジン酸塩、スルホキシド、ケイ酸塩、およびハロゲン化化合物、のファミリーの１つ以上の物質を含むナノ粒子の使用は、本発明の物質群のための新規の多様な領域のアプリケーション、即ち、デバイスまたは任意の発光体およびランプにおける光の発生をも開放する。従って、それらは、標準的なＬＥＤ任意のディスプレイデバイス、およびすべての種類のスクリーンに有利に固定することができる。しかし、ナノ粒子の特定の特性が、特定の場合のアプリケーションに典型的な任意の利点を提供する場合、特にこれらの「ナノ蛍光体」の使用はそれ自体で存在する。即ち、大きな発光性のおそらく３次元的に組み立てられた領域または薄いフィルムにナノ粒子を添加することによって経済的に製造され得る発光性デバイスが典型的である。同様に、本発明に従ってさらに具体的に開発される一般的な意味でドープされたナノ粒子および無機的にドープされたナノ粒子を、光の発生のために使用することができる。